(57)【特許請求の範囲】
【請求項１】
電子機器本体に対して着脱可能に装着されるバッテリーパックであって、
前記電子機器本体の係止部に対して係合可能な第一被係止部を有し、前記電子機器本体に対するロックの切り替えを行うロックスイッチと、
前記電子機器本体の電源回路のオンオフ制御スイッチに対して係合可能な係合部を有し、前記電子機器本体の電源回路のオンオフ切り替えを行う電源スイッチと、
が備えられており、
前記ロックスイッチおよび前記電源スイッチは、どちらか一方がプッシュスイッチであり、他方がスライドスイッチであり、
前記ロックスイッチには、電源オン位置の前記電源スイッチに対して係止されて前記ロックスイッチのロック解除動作を規制する第二被係止部が設けられている
ことを特徴とするバッテリーパック。
【請求項２】
請求項１に記載のバッテリーパックにおいて、
前記ロックスイッチは、第一バネ部材によって弾性支持されたプッシュスイッチであり、
前記電源スイッチは、前記ロックスイッチを係止して該ロックスイッチのロック解除動作を規制する電源オン位置と前記ロックスイッチから外れて該ロックスイッチのロック解除動作を許容する電源オフ位置との間でスライド可能なスライドスイッチであり、
前記電源スイッチは、前記ロックスイッチの押下方向に弾性変形可能な第二バネ部材を介して支持されている
ことを特徴とするバッテリーパック。
【請求項３】
請求項２に記載のバッテリーパックを充電するバッテリーチャージャであって、
前記バッテリーパックが挿入可能なスロット収容部が備えられ、
該スロット収容部の内壁面には、前記バッテリーパックの挿入操作に伴い電源オフ位置の前記電源スイッチに係合して当該電源スイッチを電源オン位置まで案内するスイッチガイド部が突設されている
ことを特徴とするバッテリーチャージャ。
【請求項４】
請求項１または２に記載のバッテリーパックと、該バッテリーパックが装着されるバッテリー装着部を有する電子機器本体と、を備える
ことを特徴とする電子機器。
【発明の詳細な説明】
【技術分野】
【０００１】
本発明は、バッテリーパック、及びそのバッテリーパックを充填するためのバッテリーチャージャ及び前記バッテリーパックを備える電子機器に関するものである。
【背景技術】
【０００２】
近年、例えば居酒屋やレストランなどにおいて、従業員や利用客が注文入力用の端末機を操作してオーダーを入力するオーダーエントリーシステムが導入されている。上記した端末機の電源には、端末機本体に対して着脱可能に装着された充電式のバッテリーパックが用いられるのが一般的である。バッテリーパックは、端末機本体から取り外してバッテリーチャージャに挿入することで充電することができ、充電完了後は、バッテリーチャージャから抜いて端末機本体に装着して注文入力端末機を使用する。このようなバッテリーパックを備える端末機には、バッテリーパックと端末機本体とをロックするロック機構が備えられており、このロック機構により、端末機本体に装着されたバッテリーパックの離脱が規制（ロック）されたり許容（ロック解除）されたりする。
【０００３】
上記したロック機構を操作するロックスイッチとしては、従来、バネ部材を介して弾性支持されたプッシュスイッチが知られている。このプッシュスイッチは、バネ部材による付勢力によってロック位置に保持されている。このようなプッシュスイッチを有するバッテリーパックでは、プッシュスイッチを押し下げ操作することでロックが解除され、端末機本体から離脱可能となる。
【０００４】
また、上記したプッシュスイッチ以外のロックスイッチとしては、従来、例えば下記特許文献１に記載されているような、ロック位置とロック解除位置との間でスライド可能なスライドスイッチが知られている。このスライドスイッチでは、ロック位置に配置されることで、端末機本体に装着されたバッテリーパックの離脱が規制され、ロック解除位置までスライドさせることで、端末機本体に装着されたバッテリーパックの離脱が許容される。
また、従来、上記したスライドスイッチの切替操作によって端末機本体の電源回路をオンオフ制御するスライドスイッチも提案されている。このスライドスイッチを有する端末機では、スライドスイッチがロック位置にあるときには電源回路がオンになっており、端末機の操作可能な状態となる。そして、スライドスイッチをロック解除位置にスライドさせると、電源回路がオフ制御されると同時にサスペンド処理（電源オフ処理）が行われる。
【先行技術文献】
【特許文献】
【０００５】
【特許文献１】特開平１０−３２６２３号公報
【発明の概要】
【発明が解決しようとする課題】
【０００６】
しかしながら、電源回路をオンオフ制御する従来のスライドスイッチを使用する技術では、スライドスイッチをロック解除位置にスライドさせることで、電源回路をオフ制御してサスペンド処理が開始すると共にロックが解除されてバッテリーパックが外れるため、サスペンド処理を行うことができる時間が短いという問題がある。したがって、例えば１秒以上のデータ保存時間が必要な大容量の端末機では、データ保存が完了する前にバッテリーパックが外れるおそれがあり、データが破損する等の不具合が生じるおそれがある。
【０００７】
本発明は、上記した従来の問題が考慮されたものであり、サスペンド処理時にデータを確実に保存することができるバッテリーパック及び電子機器を提供することを目的とし、さらに、そのバッテリーパックに適したバッテリーチャージャを提供することを目的としている。
【課題を解決するための手段】
【０００８】
本発明に係るバッテリーパックは、電子機器本体に対して着脱可能に装着されるバッテリーパックであって、前記電子機器本体の係止部に対して係合可能な第一被係止部を有し、前記電子機器本体に対するロックの切り替えを行うロックスイッチと、前記電子機器本体の電源回路のオンオフ制御スイッチに対して係合可能な係合部を有し、前記電子機器本体の電源回路のオンオフ切り替えを行う電源スイッチと、が備えられており、前記ロックスイッチには、電源オン位置の前記電源スイッチに対して係止されて前記ロックスイッチのロック解除動作を規制する第二被係止部が設けられていることを特徴としている。
【０００９】
このような特徴により、バッテリーパックが電子機器本体に装着され、ロックスイッチの第一被係止部が電子機器本体の係止部に係合されることで、バッテリーパックが電子機器本体に対してロックされてバッテリーパックの離脱が規制される。そして、電源スイッチを電源オン位置にすると、電子機器本体の電源回路がオンになる。このとき、ロックスイッチの第二被係止部が電源スイッチに係止されるので、ロックスイッチのロック解除動作が規制される。また、電源スイッチを電源オフ位置にすると、電子機器本体の電源回路がオフになる。このとき、電源スイッチがロックスイッチの第二被係止部から外れるので、ロックスイッチのロック解除動作が許容される。したがって、バッテリーパックを電子機器本体から離脱させる際には、まず、電源スイッチを電源オフ位置にし、その後、ロックスイッチのロック解除操作を行うことで、バッテリーパックの電子機器本体に対するロックが解除され、バッテリーパックが離脱可能となる。
【００１０】
また、本発明に係るバッテリーパックは、前記ロックスイッチが、第一バネ部材によって弾性支持されたプッシュスイッチであり、前記電源スイッチが、前記ロックスイッチを係止して該ロックスイッチのロック解除動作を規制する電源オン位置と前記ロックスイッチから外れて該ロックスイッチのロック解除動作を許容する電源オフ位置との間でスライド可能なスライドスイッチであり、前記電源スイッチが、前記ロックスイッチの押下方向に弾性変形可能な第二バネ部材を介して支持されていることが好ましい。
【００１１】
これにより、バッテリーパックを電子機器本体に装着する際、電源スイッチ（スライドスイッチ）が電源オン位置にあってロックスイッチ（プッシュスイッチ）の第二被係止部が電源スイッチに係止されていても、第二バネ部材が弾性変形することで電源スイッチと共にロックスイッチが押下され、そのロックスイッチの第一被係止部が電子機器本体の係止部に係合される。つまり、電源スイッチが電源オン位置にあってもバッテリーパックを電子機器本体に装着できることを特徴としている。
【００１２】
本発明に係るバッテリーチャージャは、前記したバッテリーパックを充電するバッテリーチャージャであって、前記バッテリーパックが挿入可能なスロット収容部が備えられ、該スロット収容部の内壁面には、前記バッテリーパックの挿入操作に伴い電源オフ位置の前記電源スイッチに係合して当該電源スイッチを電源オン位置まで案内するスイッチガイド部が突設されていることを特徴としている。
【００１３】
このような特徴により、バッテリーチャージャのスロット収容部にバッテリーパックを挿入したときに電源スイッチが電源オフ位置にあると、その電源スイッチにスイッチガイド部が係合し、そのスイッチガイド部によって電源スイッチが押されて電源オン位置にスライドする。これにより、バッテリーチャージャのスロット収容部から抜き出されたバッテリーパックの電源スイッチは、常に電源オン位置に配置される。
【００１４】
本発明に係る電子機器は、上記したバッテリーパックと、該バッテリーパックが装着されるバッテリー装着部を有する電子機器本体と、を備えることを特徴としている。
このような特徴により、電源スイッチを電源オフ位置にした後、ロックスイッチのロック解除操作を行うことで、バッテリーパックが電子機器本体から離脱可能となる。
【発明の効果】
【００１５】
本発明に係るバッテリーパック及び電子機器によれば、バッテリーパックを電子機器本体から離脱させる際、電源スイッチを電源オフ位置にした後、ロックスイッチのロック解除操作を行うので、電源回路をオフ制御してサスペンド処理が開始してからバッテリーパックのロックが解除されてバッテリーパックが電子機器本体から外れるまでの時間が長くなり、サスペンド処理時にデータ保存を行うだけの十分な時間が確保される。したがって、データ保存が完了する前にバッテリーパックが外される不具合を防止することができ、サスペンド処理時のデータ保存を確実に実施することができる。
【００１６】
また、本発明に係るバッテリーチャージャによれば、バッテリーチャージャのスロット収容部から抜き出されたバッテリーパックの電源スイッチを常に電源オン位置に配置させることができる。そして、電源スイッチが電源オン位置に配置されたバッテリーパックは、そのまま電子機器本体に装着させることができるので、バッテリーパックを電子機器本体に装着させた後、電源スイッチの切替作業を行うことなく電子機器を使用することができる。
【図面の簡単な説明】
【００１７】
【図１】本発明の実施の形態を説明するための電子機器（ハンディターミナル）の見開き状態の平面図である。
【図２】本発明の実施の形態を説明するための電子機器（ハンディターミナル）の裏面側の平面図である。
【図３】本発明の実施の形態を説明するためのバッテリーパックの斜視図である。
【図４】本発明の実施の形態を説明するためのバッテリーパックの平面図である。
【図５】本発明の実施の形態を説明するためのバッテリーパックの分解斜視図である。
【図６】本発明の実施の形態を説明するための電子機器（ハンディターミナル）の裏面側の破断図である。
【図７】図６に示すＡ−Ａ間の断面図である。
【図８】図６に示すＢ−Ｂ間の断面図である。
【図９】図６に示すＣ−Ｃ間の断面図である。
【図１０】本発明の実施の形態を説明するための電子機器（ハンディターミナル）の裏面側の破断図である。
【図１１】図１０に示すＡ−Ａ間の断面図である。
【図１２】図１０に示すＢ−Ｂ間の断面図である。
【図１３】本発明の実施の形態を説明するためのバッテリーチャージャの斜視図である。
【図１４】本発明の実施の形態を説明するためのバッテリーチャージャの正面側の側面図である。
【図１５】図１４に示すＡ−Ａ間の断面図である。
【図１６】図１４に示すＡ−Ａ間の断面図である。
【発明を実施するための形態】
【００１８】
以下、本発明に係るバッテリーパック、バッテリーチャージャ及び電子機器の実施の形態について、図面に基いて説明する。
【００１９】
［電子機器］
まず、本発明に係る電子機器の実施の形態について説明する。
図１に示すハンディターミナル１は、本発明に係る電子機器の一例であり、例えば居酒屋やレストラン等の飲食店舗内に設置される注文データ管理システムを構成する注文入力端末として機能するものである。従業員は、このハンディターミナル１を各自携帯しており、注文を受けた際にハンディターミナル１に注文データを入力し、この入力した注文データを例えば注文データ管理システムを構成する無線制御部に向けて無線送信等することが可能とされている。
【００２０】
このハンディターミナル１は、図２に示すように平面視長方形状に形成された薄型端末機であり、端末機本体２（電子機器本体）と、端末機本体２に対して電力供給を行うバッテリーパック３と、が備えられている。
【００２１】
図１に示すように、端末機本体２は、表面側にタッチパネル式の表示部２４が設けられた本体部２０と、その本体部２０にヒンジ部２２を介して連結された蓋部２１と、を備えている。蓋部２１の内面には、複数の入力ボタン２５が並設されている。
上記した構成のハンディターミナル１は、不使用時には蓋部２１を閉じて折り畳むことができるので携帯性に優れており、使用時には本体部２０に対して蓋部２１を例えば１８０度程度見開くことができるので入力操作性に優れている。
【００２２】
また、図２に示すように、端末機本体２の本体部２０の裏面には、上記したバッテリーパック３が装着されたバッテリー装着部２３が形成されている。このバッテリー装着部２３は、本体部２０の裏面に形成された窪み部であり、このバッテリー装着部２３に装着されたバッテリーパック３の外装面と本体部２０の裏面とは面一に形成されている。なお、バッテリー装着部２３の一方側（Ｙ２方向）の部分は、バッテリーパック３が挿入できるように開かれており、バッテリー装着部２３の内周面は、平面視略コ字状に形成されている。このバッテリーパック３は、端末機本体２の一方側から本体部２０の裏面に沿った方向にスライドしてバッテリー装着部２３に挿入されており、また、当該スライド挿入方向（図２に示すＹ１方向）の反対方向（図２に示すＹ２方向）に向かってスライドさせることでバッテリー装着部２３から離脱可能となっている。
【００２３】
［バッテリーパック］
次に、本発明に係るバッテリーパックの実施の形態について説明する。
図３に示すバッテリーパック３は、上記した図２に示す端末機本体２に対して着脱可能に装着される充電式バッテリーパックである。このバッテリーパック３のスライド挿入方向（Ｙ１方向）の先端部分の側端面には、当該側端面において開口された凹状の端子収容部３５が間隔をあけて２つ配設されており、これら一対の端子収容部３５，３５の内側に接続端子３６，３６がそれぞれ配設されている。
【００２４】
また、バッテリーパック３には、図３、図４に示すように、押下操作するプッシュスイッチ４と、スライド操作するスライドスイッチ５と、が備えられている。これら２つのスイッチ４、５は、上記した一対の接続端子３６，３６の間に配設されている。すなわち、プッシュスイッチ４及びスライドスイッチ５は、バッテリーパック３のスライド挿入方向（Ｙ１方向）の先端部分において、バッテリーパック３のスライド方向（Ｙ１−Ｙ２方向）に直交する方向（Ｘ１−Ｘ２方向）に並べて配設されている。
なお、以下、説明の便宜上、バッテリーパック３のスライド挿入方向（Ｙ１方向）を「前」とし、その反対方向（Ｙ２方向）を「後」とする。また、バッテリーパック３の外装面方向（Ｚ１方向）を「上」とし、その反対方向（Ｚ２方向）を「下」とする。さらに、前後方向に直交する平面方向（Ｘ１−Ｘ２方向）を「幅方向」とする。
【００２５】
図５〜図８に示すように、プッシュスイッチ４は、バッテリーパック３の端末機本体２に対するロックの切り替えを行うロックスイッチであり、端末機本体２の係止部２６に対して係合可能な鉤状の爪部４１（第一被係止部）を有している。詳しく説明すると、プッシュスイッチ４は、後述する押圧面４０ａを押圧して押下操作することで端末機本体２に対するロックを解除するスイッチであり、コイルスプリング４３（第一バネ部材）によって弾性支持されてロック位置（爪部４１の先端部４４が係止部２６に係止された位置）に保持されている。
【００２６】
プッシュスイッチ４の概略構成としては、上下方向（Ｚ１−Ｚ２方向）に延在する筒状のボタン部４０と、ボタン部４０の下端部から前方側に向けて突出した爪部４１と、ボタン部４０の下端部からスライドスイッチ５側（Ｘ２方向）に向けて突出したフランジ部４２（第二被係止部）と、が備えられている。
【００２７】
ボタン部４０は、上端面に押圧面４０ａが形成された平面視長方円形状の有頂筒部であり、バッテリーパック３の上側（外装面側）のカバー３０に形成されたスイッチ開口３１に下降可能に挿通されている。
爪部４１は、先端部４４が上向きに屈曲した断面視略Ｌ字状の凸リブフックであり、この爪部４１の先端部４４が端末機本体２の係止部２６に対して前方側から係止されており、それにより、バッテリーパック３の後方側へのスライド動作が規制されている。また、爪部４１の先端部４４には、爪部４１の前端面から後方側に向かって斜め上方に傾斜した傾斜面４５が形成されている。また、図８に示すように、上記した端末機本体２の係止部２６には、当該係止部２６の後方側の壁面から前方側に向かって斜め上方に傾斜した傾斜面２８が形成されている。
【００２８】
フランジ部４２は、平板状の凸部であり、後述する電源オン位置のスライドスイッチ５（フレーム部５０の上面）に対して上方側から係止されており、それにより、プッシュスイッチ４のロック解除動作（押し下げ動作）が規制されている。
また、前記したコイルスプリング４３は、上下方向に弾性変形するバネ部材であり、ボタン部４０とバッテリーパック３の下側（内面側）のカバー３３との間に介装されている。
【００２９】
図５〜図７、図９に示すように、スライドスイッチ５は、端末機本体２の電源回路のオンオフ切り替えを行う電源スイッチであり、端末機本体２の電源回路のオンオフ制御スイッチ２７に対して係合可能な突起部５２（係合部）を有している。詳しく説明すると、スライドスイッチ５は、端末機本体２の電源回路のオンオフ制御スイッチ２７に係合して電源回路をオン制御する電源オン位置と、前記オンオフ制御スイッチ２７から外れて電源回路をオフ制御する電源オフ位置と、の間でスライド可能なスイッチであり、幅方向にスライド可能となっている。
【００３０】
スライドスイッチ５の概略構成としては、下面が開口した箱状のフレーム部５０と、フレーム部５０の上面に立設されたツマミ部５１と、フレーム部５０の前面に突設された突起部５２と、が備えられている。
【００３１】
フレーム部５０は、幅方向に長い長方形状に形成されており、バッテリーパック３のカバー３０，３３の内側に幅方向移動可能に収容されている。
ツマミ部５１は、上下方向に延在する略円筒状のピンであり、フレーム部５０の長手方向（Ｘ１−Ｘ２方向）の中央部分に配設されていると共にバッテリーパック３の上側のカバー３０に形成されたスイッチ開口３２に挿通されている。このスイッチ開口３２は、幅方向（Ｘ１−Ｘ２方向）に長い長孔であり、ツマミ部５１の幅方向移動を許容する。なお、上記した２つのスイッチ開口３１，３２は、カバー３０に形成された窪み部３４の内側にそれぞれ形成されている。
【００３２】
突起部５２は、フレーム部５０の前面の長手方向中央部分から前方側に向かって突出した凸部であり、前後方向に対して傾斜した傾斜面５３を有している。具体的に説明すると、突起部５２は、平面視略直角三角形状に形成されている。この突起部５２の先端部は、スライドスイッチ５がプッシュスイッチ４側（Ｘ１方向）に寄せて配置された状態において、端末機本体２の電源回路のオンオフ制御スイッチ２７に当接して当該オンオフ制御スイッチ２７を前方側に押圧しており、それにより、端末機本体２の電源回路がオンになっている。すなわち、上記したスライドスイッチ５は、プッシュスイッチ４側（Ｘ１方向）の位置が電源オン位置であり、プッシュスイッチ４側の反対側（Ｘ２方向）の位置が電源オフ位置（図１０に示す）である。
【００３３】
なお、上記したオンオフ制御スイッチ２７は、図９に示すように、前後方向に移動可能なシャフト２７ａと、そのシャフト２７ａを後方側に向けて付勢するコイルスプリング２７ｂと、シャフト２７ａの前端面に当接した回転可能なレバー２７ｃと、を備えている。上記した突起部５２は、シャフト２７ａの凸曲面（球面）状の後端面に当接されており、これにより、上記したコイルスプリング２７ｂによる付勢力に抵抗してシャフト２７ａが前方側に押し出され、そのシャフト２７ａによってレバー２７ｃが押されて電源回路がオンとなっている。一方、図１０に示すように、上記した突起部５２がシャフト２７ａの後端部から外れると、上記したコイルスプリング２７ｂによる付勢力によってシャフト２７ａが後方側に移動し、そのシャフト２７ａの移動によってレバー２７ｃが回動して電源回路がオフとなる。
【００３４】
また、図５、図７に示すように、上記したスライドスイッチ５は、プッシュスイッチ４の押下方向（上下方向）に弾性変形可能な板バネ５４（第二バネ部材）を介して支持されている。この板バネ５４は、台形状（への字形状）の板ばねであり、フレーム部５０とバッテリーパック３の下側のカバー３３との間に介装されている。この板バネ５４は、スライドスイッチ５のスライド移動に伴いカバー３３の表面上を摺動しながらスライド可能となっている。また、板バネ５４は、上記したプッシュスイッチ４のコイルスプリング４３よりも硬いバネであり、板バネ５４のばね定数は、コイルスプリング４３のばね定数よりも大きい。
【００３５】
上記した構成のバッテリーパック３は、図８に示すように、端末機本体２のバッテリー装着部２３に装着された状態では、プッシュスイッチ４の爪部４１の先端部４４が端末機本体２の係止部２６に係止され、バッテリーパック３が端末機本体２に対してロックされる。これにより、バッテリーパック３が端末機本体２から離脱することが規制される。また、スライドスイッチ５が電源オン位置にあると、図６、図９に示すように、突起部５２の先端部が端末機本体２の電源回路のオンオフ制御スイッチ２７を前方側に押圧し、端末機本体２の電源回路がオンになる。このとき、図７に示すように、プッシュスイッチ４のフランジ部４２がスライドスイッチ５のフレーム部５０の上面に係止され、プッシュスイッチ４の下方への移動が規制されるので、プッシュスイッチ４のボタン部４０を押してもプッシュスイッチ４が下がらず、ロック解除動作（押し下げ動作）が行われない。
【００３６】
次に、上記したバッテリーパック３を端末機本体２から離脱させる方法について説明する。
まず、図１０に示すように、スライドスイッチ５を電源オン位置から電源オフ位置にスライドさせる。これにより、突起部５２の先端部が端末機本体２の電源回路のオンオフ制御スイッチ２７から外れて端末機本体２の電源回路がオフになる。また、このとき、図１１に示すように、スライドスイッチ５がプッシュスイッチ４から離れる方向に移動し、スライドスイッチ５のフレーム部５０がプッシュスイッチ４のフランジ部４２から外れるので、プッシュスイッチ４が押し下げ可能となる。
【００３７】
次に、プッシュスイッチ４のボタン部４０（押圧面４０ａ）を押圧してコイルスプリング４３の付勢力に抵抗してプッシュスイッチ４を押し下げつつ、バッテリーパック３を後方側にスライドさせる。上述したようにプッシュスイッチ４を押し下げると、図１２に示すように、爪部４１の先端部４４が端末機本体２の係止部２６から外れてバッテリーパック３の端末機本体２に対するロックが解除される。これにより、バッテリーパック３が後方側にスライド可能となる。そして、上述したようにロックが解除された状態で、バッテリーパック３を後方側にスライドさせることで、バッテリーパック３が端末機本体２のバッテリー装着部２３の外に引き出されて端末機本体２から取り外される。
【００３８】
また、上記したバッテリーパック３を端末機本体２に装着する方法について説明する。
まず、図２に示すように、端末機本体２のバッテリー装着部２３の後方側（Ｙ２方向）から前方側（Ｙ１方向）に向かってバッテリーパック３をスライド挿入する。そして、プッシュスイッチ４の爪部４１の先端部４４が端末機本体２の係止部２６に当接したところで、バッテリーパック３を前方側に押し込む。このとき、爪部４１の先端部４４に形成された傾斜面４５が係止部２６に形成された傾斜面２８上を摺動することで、プッシュスイッチ４が下がって爪部４１の先端部４４が端末機本体２の係止部２６を乗り越える。これにより、爪部４１の先端部４４が端末機本体２の係止部２６に係止され、バッテリーパック３が端末機本体２に対してロックされる。
【００３９】
また、上述したバッテリーパック３のスライド挿入の際に、図１０に示すようにスライドスイッチ５が電源オフ位置にある場合には、当該スライドスイッチ５を電源オフ位置から電源オン位置にスライドさせる。このとき、突起部５２の傾斜面５３がオンオフ制御スイッチ２７のシャフト２７ａの凸曲面状の後端面上を摺動することで、突起部５２の傾斜面５３によってシャフト２７ａの後端面が押圧され、シャフト２７ａが前方側に移動する。これにより、このシャフト２７ａの前端面によってレバー２７ｃが押圧されて回動し、電源回路がオンとなる。また、スライドスイッチ５が電源オン位置までスライドすることで、スライドスイッチ５のフレーム部５０の端部がプッシュスイッチ４のフランジ部４２の下方に入り込み、このフレーム部５０の上面にフランジ部４２が係止される。これにより、プッシュスイッチ４の押し下げ動作が規制される。
【００４０】
また、上述したバッテリーパック３のスライド挿入の際に、図６に示すようにスライドスイッチ５が電源オン位置にある場合には、フレーム部５０の上面にフランジ部４２が係止されているが、バッテリーパック３が前方側に押し込まれて爪部４１の傾斜面４５が係止部２６の傾斜面２８上を摺動するとき、スライドスイッチ５を支持する板バネ５４が弾性変形してスライドスイッチ５の位置が下がることで、スライドスイッチ５と共にプッシュスイッチ４が下がって爪部４１の先端部４４が端末機本体２の係止部２６を乗り越える。これにより、爪部４１の先端部４４が端末機本体２の係止部２６に係止され、バッテリーパック３が端末機本体２に対してロックされる。
【００４１】
上記したバッテリーパック３によれば、バッテリーパック３を端末機本体２から離脱させる際、スライドスイッチ５を電源オフ位置にした後、プッシュスイッチ４のロック解除操作を行うので、電源回路をオフ制御してサスペンド処理が開始してからバッテリーパック３のロックが解除されてバッテリーパック３が端末機本体２から外れるまでの時間が長くなり、サスペンド処理時にデータ保存を行うだけの十分な時間が確保される。したがって、データ保存が完了する前にバッテリーパック３が外される不具合を防止することができ、サスペンド処理時のデータ保存を確実に実施することができる。
【００４２】
また、スライドスイッチ５は押下方向に弾性変形可能な板バネ５４によって支持されているため、スライドスイッチ５を電源オン位置にしたままバッテリーパック３を端末機本体２のバッテリー装着部２３に押し込んでもプッシュスイッチ４やスライドスイッチ５が破損することがなく、バッテリーパック３を端末機本体２に装着させることができる。すなわち、使用者がバッテリーパック３を端末機本体２に装着する際に、スライドスイッチ５が電源オン位置と電源オフ位置のどちらにあるかを確認したりスライドスイッチ５を切り換えたりする必要がないため、非常に利便性に優れている。また、バッテリーパック３を後述するバッテリーチャージャ１００によって充電した後、ハンディターミナル１のサスペンド処理のために必要なスライドスイッチ５の位置を確認することなく、そのまま端末機本体２に装着することができる。
【００４３】
［バッテリーチャージャ］
次に、本発明に係るバッテリーチャージャの実施の形態について説明する。
図１３に示すバッテリーチャージャ１００は、上記したバッテリーパック３を充電するための充電器である。図１３、図１４に示すように、このバッテリーチャージャ１００には、バッテリーパック３を収容可能なスロット収容部１０１が複数設けられている。このスロット収容部１０１は、バッテリーパック３がスライド挿入される断面視矩形状のソケット（孔部）であり、このスロット収容部１０１の突き当たりの端壁面１０３（挿入口１０２の反対側に位置する内壁面）には、バッテリーパック３の一対の接続端子３６，３６に電気的に接続される接続端子１０５，１０５が設けられている。
【００４４】
また、図１４、図１５に示すように、スロット収容部１０１の一方の側壁面１０４（挿入口１０２から端壁面１０３に亘って形成された内壁面のうち、バッテリーパック３の外装面に対向する内壁面）には、バッテリーパック３の挿入操作に伴いスライドスイッチ５に係合して当該スライドスイッチ５の切り替え動作を案内するスイッチガイド部１１０が突設されている。
【００４５】
詳しく説明すると、スイッチガイド部１１０は、電源オフ位置のスライドスイッチ５に係合して当該スライドスイッチ５を電源オン位置まで案内する案内部であり、バッテリーパック３のスライド挿入方向に沿って延在する凸リブである。このスイッチガイド部１１０は、側壁面１０４の高さ方向（バッテリーパック３の幅方向に相当）の中間部分に配設されていると共に端壁面１０３側に寄せて配設されている。つまり、スイッチガイド部１１０は、側壁面１０４の端壁面１０３側の端部から挿入口１０２側に向かって延在している。このスイッチガイド部１１０の挿入口１０２側の端部には、電源オフ位置のスライドスイッチ５を電源オン位置に案内する傾斜面１１１が形成されている。この傾斜面１１１は、スライド挿入方向の手前側から奥側に向かって下向きに傾斜しており、電源オフ位置のスライドスイッチ５のツマミ部５１に合わせた位置に形成されている。
【００４６】
次に、上記した構成のバッテリーチャージャ１００を用いてバッテリーパック３を充填する方法について説明する。
まず、バッテリーチャージャ１００のスロット収容部１０１の内側にバッテリーパック３を挿入する。詳しく説明すると、バッテリーパック３は、接続端子３６，３６が配設された側端面を先端側にしてスロット収容部１０１の挿入口１０２から側壁面１０４に沿ってスライド挿入する。そして、バッテリーパック３をスロット収容部１０１の端壁面１０３まで差し込み、バッテリーパック３の接続端子３６，３６をバッテリーチャージャ１００の接続端子１０５，１０５に接触させる。これにより、これらの接続端子３６，１０５同士が電気的に接続され、当該接続端子３６，１０５を介してバッテリーパック３に電気が供給される。
【００４７】
上述したようにスロット収容部１０１にスライド挿入されるバッテリーパック３のスライドスイッチ５が電源オフ位置にあると、図１６に示すように、上記したバッテリーパック３をスロット収容部１０１内にスライド挿入したときにスライドスイッチ５のツマミ部５１にスイッチガイド部１１０の傾斜面１１１が当接する。その後、バッテリーパック３をそのままスライド挿入方向に押し込むと、ツマミ部５１が前記傾斜面１１１上を摺動しながら下方（電源オン位置側）に向かって押される。これにより、スライドスイッチ５が電源オフ位置から電源オン位置にスライドして切り替わる。
【００４８】
上記したバッテリーチャージャ１００によれば、スロット収容部１０１から抜き出されたバッテリーパック３のスライドスイッチ５は常に電源オン位置に配置される。また、このバッテリーパック３は、上述したように、スライドスイッチ５が電源オン位置に配置されたまま端末機本体２のバッテリー装着部２３に装着することができる。したがって、バッテリーチャージャ１００によるバッテリーパック３の充電が完了した後、スロット収容部１０１から抜き出したバッテリーパック３をそのまま端末機本体２のバッテリー装着部２３に装着することで、スライドスイッチ５の切り替え操作を行うことなく、直ぐにハンディターミナル１を使用することができる。
【００４９】
以上、本発明に係るバッテリーパック、バッテリーチャージャ及び電子機器の実施の形態について説明したが、本発明は上記した実施の形態に限定されるものではなく、その趣旨を逸脱しない範囲で適宜変更可能である。
例えば、上記した実施の形態では、プッシュスイッチ４がコイルスプリング４３によって支持され、スライドスイッチ５が板バネ５４によって支持されているが、本発明は、プッシュスイッチ４やスライドスイッチ５を支持するバネ部材は適宜変更可能であり、例えばプッシュスイッチ４が板ばねによって支持されていてもよく、或いは、スライドスイッチ５がコイルスプリングによって支持されていてもよい。
【００５０】
また、上記した実施の形態では、スライドスイッチ５が板バネ５４によって支持されており、上下方向に変位可能となっているが、本発明は、スライドスイッチ５を支持するバネ部材を省略することも可能である。ただし、この場合、スライドスイッチ５が電源オン位置の状態でバッテリーパック３を端末機本体２に装着することができないため、バッテリーパック３を端末機本体２に装着する前にスライドスイッチ５を電源オフ位置にする必要がある。また、この場合、ロックスイッチとしてプッシュスイッチ以外のスイッチを用いることも可能であり、また、電源スイッチとしてスライドスイッチ以外のスイッチを用いることも可能である。例えば、ロックスイッチがスライドスイッチであってもよく、電源スイッチがプッシュスイッチであってもよい。
【００５１】
また、上記した実施の形態では、電子機器としてハンディターミナル１を例に挙げて説明したが、本発明に係る電子機器はハンディターミナル１に限定されるものではなく、端末機本体に対して着脱可能に装着されたバッテリーパックを有する電子機器であればよく、例えば電子辞書、携帯型ゲーム機や携帯電話等でも構わない。
【００５２】
また、上記した実施の形態では、複数のスロット収容部１０１が平行に並設されたバッテリーチャージャ１００について説明しているが、本発明は、複数のスロット収容部を有するバッテリーチャージャに限定されず、スロット収容部が１つだけ形成されたバッテリーチャージャであってもよい。
【００５３】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００５４】
１  ハンディターミナル（電子機器）
２  端末機本体（電子機器本体）
３  バッテリーパック
４  プッシュスイッチ（ロックスイッチ）
５  スライドスイッチ（電源スイッチ）
２３  バッテリー装着部
２６  係止部
２７  オンオフ制御スイッチ
４１  爪部（第一被係止部）
４２  フランジ部（第二被係止部）
４３  コイルスプリング（第一バネ部材）
５２  突起部（係合部）
５４  板バネ（第二バネ部材）
１００  バッテリーチャージャ
１０１  スロット収容部
１０４  側壁面（内壁面）
１１０  スイッチガイド部
【図１】
0005687508.tif 000002
【図２】
0005687508.tif 000003
【図３】
0005687508.tif 000004
【図４】
0005687508.tif 000005
【図５】
0005687508.tif 000006
【図６】
0005687508.tif 000007
【図７】
0005687508.tif 000008
【図８】
0005687508.tif 000009
【図９】
0005687508.tif 000010
【図１０】
0005687508.tif 000011
【図１１】
0005687508.tif 000012
【図１２】
0005687508.tif 000013
【図１３】
0005687508.tif 000014
【図１４】
0005687508.tif 000015
【図１５】
0005687508.tif 000016
【図１６】
0005687508.tif 000017